(57)【要約】      （修正有）【課題】物体が自然な色合いで視認されるような光を出力できる照明装置を提供する。【解決手段】照明装置１は、光源部１１と点灯制御部１２とを具備する。光源部１１は、等色関数において相対値がピークとなる最も長い波長よりもさらに長い波長の領域においてピークを有する分光分布の光を発光する光源を含む。点灯制御部１２は、光源部１１の光源を発光させる。【選択図】図２
2020043071.tif 000002
【特許請求の範囲】
【請求項１】
光源を有する光源部と、
前記光源部の光源を発光させる点灯制御部と、を具備し、
前記光源部は、等色関数において相対値がピークとなる最も長い波長よりもさらに長い波長の領域においてピークを有する分光分布の光を発光する光源を含む、
照明装置。
【請求項２】
前記光源部は、ピーク波長が６５０ｎｍ以上となる分光分布を含む光を発光する光源を含む、
請求項１に記載の照明装置。
【請求項３】
前記光源部は、白色の光を発光する白色ＬＥＤを含む複数のＬＥＤを有し、
前記点灯制御部は、白色ＬＥＤのみを点灯させる第１の点灯制御と白色ＬＥＤを含む複数のＬＥＤを点灯させる第２の点灯制御とを切替える機能を有する、
請求項１又は２の何れか１項に記載の照明装置。
【請求項４】
前記光源部は、ピーク波長が５００ｎｍ以下となる分光分布を含む光を発光する第１のＬＥＤと、ピーク波長が５００から６００ｎｍ以下となる分光分布の光を発光する第２のＬＥＤと、ピーク波長が６００から６５０ｎｍ未満となる分光分布の光を発光する第３のＬＥＤと、ピーク波長が６５０ｎｍ以上となる分光分布の光を発光する第４のＬＥＤとを含み、
前記点灯制御部は、前記第１乃至第４のＬＥＤの点灯を制御することにより前記光源部が出力する光の色を制御する、
請求項１に記載の照明装置。
【発明の詳細な説明】
【技術分野】
【０００１】
本発明の実施形態は、照明装置に関する。
【背景技術】
【０００２】
従来、舞台あるいはスタジオ等に設置される照明装置（以下、舞台向け照明装置とも称する）は、カラーフィルタを装着することで得られる色の光によって空間を演出する。従来の舞台向け照明装置としては、ハロゲンランプを光源とするものが多い。一方、近年では、ハロゲンランプに替えてＬＥＤ（Ｌｉｇｈｔ  Ｅｍｉｔｔｉｎｇ  Ｄｉｏｄｅ）を光源とする照明装置が増えてきており、舞台向け照明装置としてもＬＥＤを光源とする照明装置が開発されている。ＬＥＤを光源とする舞台向け照明装置についても、色で空間を演出のために色を変化させる機能が必須であるため、ハロゲンランプからの光にカラーフィルタをかけて得られる光と同様な色合いの光を出力させたいという要望がある。
【先行技術文献】
【特許文献】
【０００３】
【特許文献１】特開２０１３−０７７４９１号公報
【発明の概要】
【発明が解決しようとする課題】
【０００４】
従来のＬＥＤを光源とする照明装置の光は、人間が色を知覚できる光を効率良く出力するように構成されるが、ハロゲンランプを光源とする照明装置の光とは分光分布が同一ではない。このため、ＬＥＤを光源とする照明装置とハロゲンランプを光源とする照明装置とでは、同じ物体を照明した場合であっても異なる色で視認されることがある。例えば、ハロゲンランプを光源とする照明装置は、青のカラーフィルタを装着することで、空間（舞台）全体を青く照明しつつ、舞台上の人物などが自然な色合いで視認されるような演出を実現できる。これに対して、従来のＬＥＤを光源とする照明装置は、青のカラーフィルタを装着すると、舞台全体が青くなるとともに、舞台上の人物なども青色の不自然な色合いで視認されることが多い。  
本発明は、上述した問題を解決するものであり、物体が自然な色合いで視認されるような光を出力できる照明装置を提供することを目的とする。
【課題を解決するための手段】
【０００５】
実施形態によれば、照明装置は、光源部と点灯制御部とを具備する。前記光源部は、等色関数において相対値がピークとなる最も長い波長よりもさらに長い波長の領域においてピークを有する分光分布の光を発光する光源を含む。点灯制御部は、光源部の光源を発光させる。
【発明の効果】
【０００６】
本発明は、ＬＥＤなどのハロゲンランプとは異なる光源に用いた場合であっても、物体が自然な色合いで視認されるような光を出力できる照明装置を提供できる。
【図面の簡単な説明】
【０００７】
【図１】図１は、第１の実施形態に係る照明装置の外観構成例を示す図である。
【図２】図２は、第１の実施形態に係る照明装置の構成例を示すブロック図である。
【図３】図３は、ハロゲンランプを光源とする照明装置にカラーフィルタ（ブルーのフィルタ）を装着した場合の光の分光分布を示す図である。
【図４】図４は、白色のＬＥＤを光源とする照明装置にカラーフィルタを装着した場合の光の分光分布を示す図である。
【図５】図５は、等色関数を示す図である。
【図６】図６は、肌色に対する分光反射率の例を示す図である。
【図７】図７は、第１の実施形態に係る照明装置の光源からの光の分光分布を示す図である。
【図８】図８は、第１の実施形態に係る照明装置の光源にカラーフィルタを装着した場合の分光分布を示す図である。
【図９】図９は、第２の実施形態に係る照明装置の構成例を示すブロック図である。
【図１０】図１０は、基準室の分光分布を示す図である。
【図１１】図１１は、テスト室の分光分布を示す図である。
【図１２】図１２は、評価サンプルの測量値を示す図である。
【図１３】図１３は、インストラクションなどを示す図である。
【図１４】図１４は、鮮やかさの主観評価の結果を示す図である。
【図１５】図１５は、明るさの主観評価の結果を示す図である。
【図１６】図１６は、鮮やかさの主観評価の結果を示す図である。
【図１７】図１７は、明るさの主観評価の結果を示す図である。
【図１８】図１８は、肌色の主観評価の結果を示す図である。
【図１９】図１９は、ヒアリングの結果を示す図である。
【図２０】図２０は、評価サンプルの色差ΔＥを示す図である。
【図２１】図２１は、基準室及びテスト室の照明条件を示す図である。
【図２２】図２２は、基準室の分光分布を示す図である。
【図２３】図２３は、テスト室の分光分布を示す図である。
【図２４】図２４は、基準室及びテスト室の照明条件を示す図である。
【図２５】図２５は、鮮やかさの主観評価の結果を示す図である。
【図２６】図２６は、明るさの主観評価の結果を示す図である。
【図２７】図２７は、鮮やかさの主観評価の結果を示す図である。
【図２８】図２８は、明るさの主観評価の結果を示す図である。
【図２９】図２９は、好ましさの主観評価の結果を示す図である。
【図３０】図３０は、健康さの主観評価の結果を示す図である。
【図３１】図３１は、ヒアリングの結果を示す図である。
【図３２】図３２は、解析結果を示す図である。
【発明を実施するための形態】
【０００８】
以下で説明する実施形態に係る照明装置は、光源を有する光源部（１１、１１１）と前記光源部の光源を発光させる点灯制御部（１２、１１２）とを具備し、前記光源部（１１、１１１）は、等色関数において相対値がピークとなる最も長い波長よりもさらに長い波長の領域においてピークを有する分光分布の光を発光する光源（１１Ｂ、１１１Ｄ）を含む。これにより、ＬＥＤなどのハロゲンランプとは異なる光源を用いた照明装置であっても、等色関数への寄与が小さい波長領域の光を付加した照明を提供でき、物体が自然な色合いで視認されるような光を出力できる。
【０００９】
また、以下で説明する実施形態に係る照明装置において、光源部（１１、１１１）は、ピーク波長が６５０ｎｍ以上となる分光分布を含む光を発光する光源（１１Ｂ、１１１Ｄ）を含む。これにより、ＬＥＤなどのハロゲンランプとは異なる光源を用いた照明装置であっても、等色関数への寄与が小さい波長が６５０ｎｍ以上となる光を付加した照明を実現でき、物体が自然な色合いで視認されるような光を出力できる。
【００１０】
また、以下で説明する実施形態に係る照明装置において、光源部（１１、１１１）は、白色の光を発光する白色ＬＥＤ（１１Ａ）を含む複数のＬＥＤを有し、前記点灯制御部は、白色ＬＥＤ（１１Ａ）のみを点灯させる第１の点灯制御と白色ＬＥＤ（１１Ａ）を含む複数のＬＥＤを点灯させる第２の点灯制御とを切替える機能を有する。これにより、ＬＥＤなどのハロゲンランプとは異なる光源を用いた照明装置において、物体が自然な色合いで視認されるような光を出力できる点灯制御と発光効率を重視した点灯制御とを切替えて実施できる。
【００１１】
また、以下で説明する実施形態に係る照明装置において、光源部（１１１）は、ピーク波長が５００ｎｍ以下となる分光分布を含む光を発光する第１のＬＥＤ（１１１Ａ）と、ピーク波長が５００から６００ｎｍ以下となる分光分布の光を発光する第２のＬＥＤ（１１１Ｂ）と、ピーク波長が６００から６５０ｎｍ未満となる分光分布の光を発光する第３のＬＥＤ（１１１Ｃ）と、ピーク波長が６５０ｎｍ以上となる分光分布の光を発光する第４のＬＥＤ（１１１Ｄ）とを含み、点灯制御部（１１２）は、第１乃至第４のＬＥＤ（１１１Ａ〜１１１Ｄ）の点灯を制御することにより光源部（１１１）が出力する光の色を制御する。これにより、カラーフィルタ無しでも、物体が自然な色合いで視認されるような光を出力できる照明装置を提供できる。この結果、カラーフィルタ無しであっても、カラーフィルタを装着したハロゲンランプの光源からの光と同様な見え方となるような光を出力できる照明装置を提供できる。
【００１２】
以下、図面を参照しながら、第１及び第２の実施形態について詳細に説明する。  
以下に説明する第１及び第２の実施形態に係る照明装置は、舞台あるいはスタジオ等の色を変化させることが必要な空間を照明するための照明装置であることを想定するものとする。第１及び第２の実施形態に係る照明装置は、舞台あるいはスタジオ等の色を変化させることが必要な空間を照明するものであれば良く、天井や壁などに固定するものであっても良いし、スタンドにセットされるものであっても良い。なお、一般に、人間の目で感じとれることが可能な可視光線は波長が３８０ｎｍ〜７８０ｎｍの範囲とされている。このため、第１および第２実施形態においては、波長が３８０ｎｍ〜７８０ｎｍの範囲の光について説明するものとする。
【００１３】
（第１の実施形態）
図１は、第１の実施形態に係る照明装置１の外観構成例を示す図である。  
図１に示す構成例において、照明装置１は、光源や点灯制御部を具備する筐体を有する。照明装置１の筐体は、天井または壁などに固定される。第１の実施形態では、照明装置１は、光源からの光がカラーフィルタを介して出力されることを想定して説明するものとする。すなわち、第１の実施形態に係る照明装置１は、舞台あるいはスタジオ等の空間における色を演出するため、カラーフィルタを装着して出力する光の色を変化させるものとする。図１に示す構成例において、照明装置１は、光源からの光をカラーフィルタを介して出力させるために、カラーフィルタを装着するための構成を有する。
【００１４】
図２は、第１の実施形態に係る照明装置１の構成例を示すブロック図である。  
図２に示す構成例において、照明装置１は、光源部１１（第１光源１１Ａ、第２光源１１Ｂ）、点灯制御部１２、および、フィルタ装着部１３を有する。  
光源部１１は、１又は複数の光源により構成する。光源部１１は、白色の光源を含むものであれば良い。第１の実施形態において、光源部１１は、光源として単数または複数のＬＥＤを有するものとする。
【００１５】
図２に示す構成例において、光源部１１は、第１光源１１Ａと第２光源１１Ｂとを有する。第１光源１１Ａは、白色の光を発するＬＥＤ（白色ＬＥＤ）により構成する。第２光源１１Ｂは、特定波長の光を発するＬＥＤ（特定波長のＬＥＤ）を有する。第２の光源１１Ｂとしての特定波長のＬＥＤは、特定波長の光として、後述する等色関数において相対値がピークとなる最も長い波長（例えば、６００ｎｍ）よりもさらに長い波長の領域においてピークを有する分光分布の光を発光する。また、特定波長のＬＥＤは、特定波長の光として、後述する等色関数において相対値がピークとなる最も長い波長よりもさらに長い波長の光が所定の割合以上となるような分光分布の光を発光するものとしても良い。
【００１６】
光源部１１としては、第１光源１１Ａとしての白色ＬＥＤが発光する光と第２光源１１Ｂとしての特定波長のＬＥＤが発光する光とを合わせた光を出力する。すなわち、光源部１１が出力する光は、白色ＬＥＤが発光する光の分光分布と特定波長のＬＥＤが発光する光の分光分布とを合わせた分光分布となる。
【００１７】
点灯制御部１２は、光源部１１の各光源が発する光を制御する。点灯制御部１２は、第１光源１１Ａおよび第２光源１１Ｂとしての各ＬＥＤにＰＷＭ波形または直流波形の電流を入力して光源の点灯を制御する。点灯制御部１２は、各光源の調光制御だけでなく、時間的に徐々に明るくしたり、暗くしたりする制御も可能である。
【００１８】
また、点灯制御部１２は、第１光源１１Ａのみを点灯させる第１の点灯制御と第１光源１１Ａおよび第２光源１１Ｂの２つの光源を点灯させる第２の点灯制御とを切替えることも可能である。光源の発光効率は、「ルーメン／入力電力」で表される。このため、上述したような特定波長の光を発する第２光源１１Ｂを点灯させても、ルーメンは大きく上昇せず、入力電力が増加するため、発光効率が低下する。従って、点灯制御部１２は、第２光源１１Ｂからの特定波長の光による照明が不要な状況では、第２光源１１Ｂを消灯して第１光源１１Ａのみを点灯させる第１の点灯制御によって発光効率が良い照明制御が実現でき、第２光源１１Ｂからの特定波長の光による照明が必要な状況（人物の肌色などの物体を自然な見え方としたい状況）では、第１光源１１Ａに加えて第２光源１１Ｂを点灯させる第２の点灯制御によって人物の肌色などの物体を自然な見え方となるような照明制御が実現できる。
【００１９】
また、光源部１１は、白色の光を発光する第１光源１１Ａとして色温度が異なる２つの白色ＬＥＤ（第１白色ＬＥＤおよび第２白色ＬＥＤ）を有するものであっても良い。第１光源１１Ａとして色温度が異なる第１白色ＬＥＤおよび第２白色ＬＥＤを有する場合、点灯制御部１２は、第１白色ＬＥＤの出力と第２白色ＬＥＤの出力との比率を変化させることで色温度を制御する。この場合、点灯制御部１２は、上述した第１の点灯制御および第２の点灯制御において、さらに色温度を変化させることが可能となる。
【００２０】
フィルタ装着部１３は、光源部１１からの光にかけるカラーフィルタＣＦを保持する。
フィルタ装着部１３は、オペレータが選択する色のカラーフィルタＣＦが光源部１１から発する光に対してかけられるようにカラーフィルタＣＦを保持する。すなわち、照明装置１は、光源部１１からの光がフィルタ装着部１３に装着されたカラーフィルタＣＦを介して出力されるように構成される。
【００２１】
次に、第１の実施形態に係る照明装置１が出力する光の分光分布について説明する。  
図３および図４は、照明装置１に対する比較例としての照明装置が発光する光の分光分布を示す図である。図３は、ハロゲンランプを光源とする照明装置にカラーフィルタ（青のカラーフィルタ）を装着した場合の光の分光分布を示す図である。また、図４は、白色ＬＥＤを光源とする照明装置に青のカラーフィルタを装着した場合の光の分光分布を示す図である。
【００２２】
図３に示す分光分布の光（ハロゲンランプを光源とする照明装置に青のカラーフィルタを装着した場合の光）を照射した空間では、自然な色合いで観察される物体（人物等）が、図４に示す分光分布の光（白色ＬＥＤのみを光源とする照明装置に青のカラーフィルタを装着した場合の光）で照射した場合には不自然な色合いで観察されることが確認されている。具体例としては、人物の肌は、図３に示す分光分布の光を照射した場合には自然な色合いで観察されるが、図４に示す分光分布の光で照射した場合には不自然な色合いで観察（例えば、青っぽく視認）される。
【００２３】
図３と図４とを比較すると、図３に示す分光分布は、図４に示す分光分布に比べて、６５０ｎｍ以上の波長の領域において相対値が大きい。従って、白色ＬＥＤを光源する照明装置には、波長が６５０ｎｍ以上となる光を追加すれば、青のカラーフィルタを装着しても、図３に示す分光分布と類似した分光分布を再現でき、自然な色合いで空間が観察できる光が得られると推測される。
【００２４】
ここで、上述した現象を踏まえ、人物が照明装置によって照明される物体の色を知覚することについて考察する。  
人間が視認する物体の色は、人間の目の感度と物体が発する色（物体が反射する光の波長）とが関連する。人間の目の感度を示す情報としては、等色関数と呼ばれるものが知られている。等色関数は、人間の目に対応する分光応答度を示すものである。
【００２５】
図５は、等色関数を示す図である。  
図５に示すように、等色関数は、３つの曲線ｚ（λ）、曲線ｙ（λ）および曲線ｘ（λ）を有する。各曲線は、人間が知覚する色を数値化する指標として用いられる。図５に示す等色関数において、曲線ｘ（λ）は、等色関数における最も長い波長での相対値のピークを有する。等色関数の曲線ｘ（λ）では、約６００ｎｍの波長において、最も大きい波長での相対値のピークを形成する。すなわち、等色関数において、相対値がピークとなる最も長い波長は約６００ｎｍである。このような等色関数に従えば、６００ｎｍ以上の波長領域においては光の波長が長くなればなるほど、色として数値化するのが困難となる（つまり、等色関数への寄与が小さくなる）。
【００２６】
一方、人が知覚する物体の色は、等色関数で表されるような人間の目に対応する分光応答度だけでなく、物体の分光反射率（分光反射率係数）にもよる。一般に、色の見え方はカラーチャートを用いて確認される。カラーチャートの例としては、マクベスチャートと呼ばれるものがある。例えば、マクベスチャート（マクベスチャートのＮＯ．２）では人間の肌色としての色票が示されている。図６は、マクベスチャートで示される肌色の分光反射率を示す図である。図６によれば、肌色の分光反射率は、５８０ｎｍから７８０ｎｍまでの間で相対値が大きくなる。
【００２７】
上述したような等色関数と色としての物体の分光反射率とを用いると、光の分光分布から色の見え方を数値化できる。言換えると、光源からの光あるいはフィルタを透過した光の分光分布が分かれば、基準とする色（物体）の見え方を数値化でき、光源を変えた場合の色の見え方の相違を判定するための指標（色差）を得ることができる。従って、ＬＥＤの光源とハロゲンランプの光源とによる色の見え方の差異を小さくするには、ＬＥＤの光源は、等色関数と色としての物体の分光反射率とを用いて算出する色差が小さくなるように設計すればよいと考えられる。
【００２８】
一般に、ＬＥＤを光源とする照明装置は、等色関数で数値化できる色の光を再現することを想定して設計されることが多い。言換えると、等色関数で数値化できる光色を再現することを目的として設計されたＬＥＤを光源とする照明装置は、等色関数では数値化が困難である可視域の波長の光（等色関数への寄与が小さい波長の光）を出力するようには設計されていない。すなわち、等色関数で数値化できる光色を再現することを目的として設計されたＬＥＤを光源とする照明装置は、等色関数への寄与が小さい波長（例えば、６５０乃至６８０ｎｍ以上の波長）の光の出力を大きくすることが困難である。
【００２９】
第１の実施形態に係る照明装置１の光源部１１は、特定波長のＬＥＤからなる第２光源１１Ｂを有する。上述した等色関数における相対値のピークのうち最も長い波長が約６００ｎｍであるから、第２光源１１ＢとしてのＬＥＤは、６００ｎｍよりも長い波長の領域においてピーク波長を有する分光分布（あるいは、６００ｎｍよりも長い波長の光が所定の割合以上となるような分光分布）の光を発光する。第２光源１１Ｂは、ハロゲンランプの光源に対する色差を小さくするために、等色関数に対する寄与が少なくなる長い波長領域の光を付加するための光源である。
【００３０】
例えば、第２光源１１Ｂは、等色関数において相対値がピークとなる６００ｎｍよりも長い波長の領域（好ましくは、６５０乃至６８０ｎｍ以上の波長の領域）においてピークを有する分光分布の光を発光するものとする。また、第２光源１１Ｂは、等色関数に対する寄与率が所定値（例えば１０％〜５％）となる波長よりも長い波長の領域にピーク波長を有する分光分布の光を発光するものとしても良い。例えば、等色関数に対する寄与率は波長が６５０ｎｍでは２６．６％であり、６８０ｎｍでは４．４％であるから、等色関数に対する寄与率が５％程度以上となる波長の光を付加するには、第２光源１１Ｂは、ピーク波長が６８０ｎｍ以上となる分光分布の光を付加するものとすれば良い。
【００３１】
以上のように、第１の実施形態に係る照明装置１は、等色関数に対する寄与が小さい波長（６５０乃至６６０ｎｍ以上）の領域においてピークを形成する分光分布の光を発光するＬＥＤ（特定波長のＬＥＤ）からなる第２光源１１Ｂを光源部１１に設ける。これにより、照明装置１の光源部１１は、図４に示す分光分布の光（第１光源１１Ａからの光）とピーク波長が６５０乃至６６０ｎｍ以上となる光（第２光源１１Ｂからの光）とを合わせた光を出力する。
【００３２】
図７は、第１光源１１Ａと第２光源１１Ｂとを有する光源部１１からの光の分光分布を示す図である。  
上述したように、第１光源１１Ａは、発光素子として白色ＬＥＤを有する。白色ＬＥＤは、等色関数で数値化できる光色の光を発光するものである。第２光源１１Ｂは、発光素子としてピーク波長が６５０乃至６６０ｎｍ以上となる光を発光する特定波長のＬＥＤを有する。特定波長のＬＥＤは、等色関数への寄与が小さく等色関数では数値化が困難な波長（６５０乃至６６０ｎｍ以上）がピーク波長となる光を発光するものである。図７に示す例においては、６８０ｎｍ付近でピークとなる波長の光が特定波長のＬＥＤから発光される光である。また、図７に示す例において、６５０ｎｍ未満でピークとなる波長の光が白色ＬＥＤから発光される光である。
【００３３】
図８は、第１光源１１Ａと第２光源１１Ｂとを有する光源部１１にカラーフィルタを装着した場合の分光分布を示す図である。  
図８は、図７に示す分光分布の光に青のカラーフィルタをかけた場合の分光分布を示す図である。図７に示す分光分布の光は、５００ｎｍ以下でピークとなる波長の光と６８０ｎｍ付近でピークとなる波長の光とがカラーフィルタを通じて出力される。図８に示す分光分布は、図３に示すハロゲンランプを光源とする照明装置にカラーフィルタを装着した場合の分光分布と類似するものとなる。
【００３４】
従って、光源部１１を有する照明装置１は、カラーフィルタを装着した場合、ハロゲンランプを光源とする照明装置にカラーフィルタを装着した場合と近い見え方となる照明を実現できる。すなわち、光源部１１を有する照明装置１は、ピーク波長が６５０乃至６６０ｎｍ以上となる光を含む光を出力することで、カラーフィルタを装着した場合であっても、照明する空間にある物体（人物の肌など）が自然な見え方となる照明を実現できる。
【００３５】
以上のように、第１の実施形態に係る照明装置は、等色関数で数値化しやすい波長（等色関数への寄与が大きい波長）の光を出力するだけでなく、ピーク波長が６５０〜６８０ｎｍ以上となる光（等色関数への寄与が小さい波長の光）も所定割合以上を出力するように構成する。例えば、図１に示す構成例の照明装置は、白色ＬＥＤなどの等色関数で数値化しやすい色の光を出力することを目的するＬＥＤに加えて、ピーク波長が６５０〜６８０ｎｍ以上となる光を出力するＬＥＤを光源に追加する。このような構成によって、第１の実施形態に係る照明装置は、等色関数で数値化しやすい色の光とともに、ピーク波長が６５０〜６８０ｎｍ以上となる光（等色関数への寄与が小さい波長の光）を出力することができる。
【００３６】
これにより、第１の実施形態に係る照明装置は、等色関数で数値化しやすい色の光だけでなく、等色関数への寄与が小さい波長の光の出力を多くすることによって、ＬＥＤを光源する照明装置であっても、ハロゲンランプを光源とする照明装置にカラーフィルタを装着した場合と近い見え方を実現できる光を出力できる。
【００３７】
なお、上述した第１の実施形態例では、光源部１１として白色ＬＥＤと特定波長のＬＥＤとを有する照明装置１にカラーフィルタを装着した場合について説明した。ただし、本実施形態に係る照明装置は、等色関数に基づく特定波長の光を含む光を発光するものであれば良い。例えば、照明装置は、等色関数への寄与が小さい波長の光（ピーク波長が６５０乃至６８０ｎｍ以上の光）を含む白色の光を発光する白色ＬＥＤの光源を有するものであっても良い。また、照明装置の光源は、複数のＬＥＤを含む光源を有するものであっても良い。
【００３８】
（第２の実施形態）
上述した第１の実施形態では、照明装置１にカラーフィルタを装着することを想定して説明した。これに対して、第２の実施形態では、カラーフィルタを装着することを前提とせずに、光源部に設けた複数のＬＥＤを組合わせて制御することにより所望の光を発光する照明装置について説明する。
【００３９】
仮に、等色関数で数値化しやすい光を再現することを目的として、白、赤、緑及び青の４色のＬＥＤを光源とする照明装置を設計したものとする。このような４色のＬＥＤを光源とする照明装置は、それぞれのＬＥＤの出力比を制御することにより、様々な色や相関色温度の光を出力できる。しかしながら、等色関数で数値化しやすい光を再現することを目的する４色のＬＥＤでは、等色関数で数値化が困難である可視域の波長の光（例えば、ピーク波長が６５０〜６８０ｎｍ以上となる光）を出力できず、図３又は図８に示すような分光分布の光を出力することができない。
【００４０】
そこで、第２の実施形態では、様々な色や相関色温度の光を出力できる複数のＬＥＤと等色関数では数値化が困難である可視域の波長（等色関数への寄与が小さい波長）の光を発光する特定波長のＬＥＤとを光源部に設けた照明装置について説明する。  
図９は、第２の実施形態に係る照明装置１０１の構成例を示す図である。  
図９に示す構成例において、照明装置１０１は、光源部１１１（第１光源１１１Ａ、第２光源１１１Ｂ、第３光源１１１Ｃ、第４光源１１１Ｄ）および点灯制御部１１２を有する。
【００４１】
光源部１１１は、複数の光源により構成する。第２の実施形態において、光源部１１１は、様々な色や相関色温度の光を出力するための複数の光源と等色関数では数値化が困難である可視域の波長の光を発光する光源とを含むものであれば良い。図９に示す構成例において、光源部１１１は、第１光源１１１Ａ、第２光源１１１Ｂ、第３光源１１１Ｃ、および、第４光源１１１Ｄを有する。例えば、第１光源１１１Ａ、第２光源１１１Ｂ、第３光源１１１Ｃ、および、第４光源１１１Ｄは、それぞれが異なる分光分布の光を発光するＬＥＤで構成される。
【００４２】
第１光源１１１Ａは、青系の光を発する光源である。例えば、第１光源１１１Ａは、分光分布におけるピーク波長が５００ｎｍ以下となる光（青色の光）を発するＬＥＤ（青系ＬＥＤ）で構成する。第２光源１１１Ｂは、緑系の光を発する光源である。例えば、第２光源１１１Ｂは、分光分布におけるピーク波長が５００ｎｍから６００ｎｍ未満となる光（緑色の光）を発するＬＥＤ（緑系ＬＥＤ）で構成する。第３光源１１１Ｃは、赤系の光を発する光源である。例えば、第３光源１１１Ｃは、分光分布におけるピーク波長が６００ｎｍから６５０ｎｍ未満となる光（赤色の光）を発するＬＥＤ（赤系ＬＥＤ）で構成する。第１光源１１１Ａ、第２光源１１１Ｂおよび第３光源１１１Ｃは、それぞれが発光する光を制御することにより等色関数で数値化できる様々な色や相関色温度の光が作成できるように設計する。
【００４３】
第４光源１１１Ｄは、等色関数では数値化が困難な波長領域（等色関数への寄与が少ない波長領域）の光を発するＬＥＤ（特定波長のＬＥＤ）で構成する。例えば、第４光源１１１Ｄは、分光分布におけるピーク波長が６５０乃至６８０ｎｍ以上となる光（特定波長の光）を発するＬＥＤ（特定波長のＬＥＤ）で構成する。第４光源１１１Ｄは、第１の実施形態で説明した第２光源１１Ｂと同様に、等色関数において相関値がピークとなる波長よりも長い波長の領域にピーク波長を有する分光分布の光を発光する。
【００４４】
点灯制御部１１２は、第１光源１１１Ａ、第２光源１１１Ｂ、第３光源１１１Ｃおよび第４光源１１１Ｄが発する光を制御する。点灯制御部１１２は、第１光源１１１Ａ、第２光源１１１Ｂおよび第３光源１１１Ｃが発する光を制御することにより、光源部１１１として出力する光の色および相関色温度などを制御する。点灯制御部１１２は、第１の実施形態で説明した点灯制御部１２と同様に、光源部１１１を構成する複数の光源としての各ＬＥＤにＰＷＭ波形または直流波形の電流を入力して各光源の点灯を制御する。
【００４５】
また、点灯制御部１１２は、点灯制御部１２と同様な機能として、第１光源１１１Ａ、第２光源１１１Ｂおよび第３光源１１１Ｃの３つの光源による第１の点灯制御と、第１光源１１１Ａ、第２光源１１１Ｂおよび第３光源１１１Ｃとともに第４光源１１１Ｄを点灯させる第２の点灯制御と、を切替える機能も有する。この機能により、点灯制御部１１２は、第４光源１１１Ｄを消灯させて第４光源１１１Ｄを除く３つの光源１１１Ａ、１１１Ｂおよび１１１Ｃによる発光効率の良い点灯制御と、３つの光源１１１Ａ、１１１Ｂおよび１１１Ｃに加えて第４光源１１１Ｄを点灯させることによる物体（人物の肌色など）が自然な見え方となる点灯制御と、を切替えて実施することができる。
【００４６】
図９に示すような第２の実施形態に係る照明装置１０１は、点灯制御部１１２が第１光源１１１Ａ、第２光源１１１Ｂ、第３光源１１１Ｃおよび第４光源１１１Ｄが発する光を制御することにより、図８に示すような分光分布の光を出力できる。すなわち、第２の実施形態に係る照明装置１０１は、カラーフィルタを装着しなくても、図３に示すハロゲンランプを光源とする照明装置にカラーフィルタを装着した場合の分光分布と類似する分光分布の光を出力できる。
【００４７】
以上のように、第２の実施形態に係る照明装置は、等色関数で数値化できる様々な色や相関色温度を再現するための光源群と等色関数への寄与が小さい波長の光（ピーク波長が６５０〜６８０ｎｍ以上となる分光分布の光）を出力する光源とを具備する。これにより、第２の実施形態に係る照明装置１０１は、カラーフィルタ無しで、ハロゲンランプを光源とする照明装置にカラーフィルタを装着した場合と近い見え方となる照明を実現でき、空間にある物体が自然な見え方となる照明を実現できる。
【００４８】
（実験結果）
以下、特定波長の光と白色光とを照射した場合における色の見え方についての実験結果について説明する。
可視域の端部である６８０〜７８０  ｎｍの光を以下、Ｄｅｅｐ−Ｒｅｄと称する。
【００４９】
（実験環境）
照明実験室に実験ＢＯＸ（幅８００  ｍｍ×奥行７００  ｍｍ×高１２００  ｍｍ）を設置して実験を行った。実験ＢＯＸは、基準室とテスト室に分け、各室の天井にＬＥＤ照明装置が設置できるような構成とし、各室の内装と評価対象となるサンプルは同一にした。ＬＥＤ照明装置からの光は拡散板を通してそれぞれの実験ＢＯＸとしての部屋に照射されるようになっており、照度を下げる際はＬＥＤ照明装置と拡散シートの間に黒い布製のフィルタを挟み実験を行った。これは、ＬＥＤ照明装置の入力電流を変えたことにより光色が変化することを防ぐためである。２つの部屋を同時に観察できないように、各部屋を黒のスチレンボードでマスキングし、１５０  ｍｍ角の窓から観察できるようにして実験を行った。
【００５０】
（被験者）
被験者は７名（女性、全員色覚正常、２６歳〜４９歳、平均３６．６歳）である。なお、被験者を女性中心としたのは、遺伝学的に色覚特性者が非常に少ないためである。
【００５１】
（照明条件）
図１０及び図１１に、それぞれ基準室及びテスト室に設置したＬＥＤ照明装置の分光分布を示す。基準室に設置したＬＥＤ照明装置の光源は、紫ＬＥＤと蛍光体の構成であり、Ｄｅｅｐ−Ｒｅｄを含まない白色光を発する。テスト室に設置したＬＥＤ照明装置の光源は、青色ＬＥＤと蛍光体とピーク波長が６９０ｎｍのＬＥＤとの構成であり、Ｄｅｅｐ−Ｒｅｄを含む白色光を発する。そして両光源の、色の見え方の代表的な評価指標である相関色温度、平均演色評価数Ｒａ、特殊演色評価数Ｒ９、色域面積比Ｇａをほぼ同等の値とした。具体的には、基準室の光源の相関色温度、Ｒａ、Ｒ９、Ｇａは、それぞれ２８０２Ｋ、９８、９２、１０１、テスト室の光源の相関色温度、Ｒａ、Ｒ９、Ｇａは、それぞれ２８０６Ｋ、９８、９５、１０１とした。
【００５２】
実験では照度によるＤｅｅｐ−Ｒｅｄの効果を確認するために、３段階の照度条件（１３、７０、５００ｌｘ。部屋内中央の位置の床面照度）を設定した。なお、テスト室を白色光とピーク波長６９０ｎｍのＬＥＤのみとしたのは、事前確認でピーク波長７４０ｎｍと７８０ｎｍのＬＥＤの有無による白色光での色の見え方に差異がなかったためである。
【００５３】
（評価サンプル）
評価サンプルは、実験ＢＯＸ内の各室に同じように配置した。評価サンプルは、ちりめん布地（青、緑、赤、黄及び紫）、マクベスチャート（青、緑、赤、黄及び紫）、ワイン、ウィスキー、青磁及び白色票である。図１２は、実験で使用した評価サンプルのＣＩＥ１９７６Ｌ＊ａ＊ｂ＊の測色値を示す。測定は二次元色彩輝度計を用いて５００ｌｘ時に行い、測色値は、各評価サンプルの三刺激値と、各評価サンプルの位置でのＮ９．５色票（白色票）の基準白色面の三刺激値とから求めた。実際の実験での肌色の評価は被験者自身の手の甲を用いて評価を行ったが、表中には特殊演色評価用試験色Ｒ１５（日本人の肌色）の測色値を示した。なお、光が透過する「ワイン」や「ウィスキー」、光沢が非常にある「青磁」は測定が困難であったために、測色値の計算は見送った。
【００５４】
（手順）
手順１から手順７の流れで被験者７名に対して主観評価を行い、各照度条件各評価サンプルに対して２４個の実験データを得た。なお、ＬＥＤ照明装置からの出力を安定させるために、実験はＬＥＤ照明装置を２時間エージングした後に開始した。
１．  被験者は椅子に座り、実験者が室内照明を消灯する。
２．  被験者は実験方法について実験者から説明を受ける。
３．  実験者から実験開始の合図。
４．  被験者は実験ＢＯＸの窓から、基準室とテスト室を交互に観察。
５．  実験者が支持する評価サンプルに対して、被験者は評価を行う。主観評価は基準室の評価サンプルを基準にしたときの見え方について口頭回答する方式とした。
６．  各評価サンプルについて手順４と手順５を繰り返し行う。なお、各評価サンプルは、（マクベスチャート）青→緑→赤→黄→紫→（ちりめん布地）青→緑→赤→黄→紫→肌色→白色票→「ワイン」、「ウィスキー」、「青磁」の順で評価を行った。
７．  照度条件を変更して、３０秒間順応した後再び手順４に戻る。なお、照度条件は
５００ｌｘ  →７０ｌｘ  →１３ｌｘ  →５００ｌｘ  →７０ｌｘ  →１３ｌｘ  →５００ｌｘ  →７０ｌｘ  →１３ｌｘの順に変更した。
【００５５】
色の見え方は、色順応を考慮して、左右の部屋が同時に視界に入らないような形で比較評価した。評価はＳＤ（Ｓｅｍａｎｔｉｃ  Ｄｉｆｆｅｒｅｎｔｉａｌ）法を用いた。図１３は、前節で示した主観評価のインストラクション（実験者が被験者に伝える実験に関する教示）と、評価項目及び尺度と、を示す。
【００５６】
（結果）
評価サンプル１１種類に対する主観評価の結果と、自由回答とした「ワイン」、「ウィスキー」、「青磁」の見え方に関する主なコメントを示す。
【００５７】
（色票（マクベスチャート））
図１４は、鮮やかさの主観評価の結果を示す。また、図１５は、明るさの主観評価の結果を示す。横軸は色票の色、縦軸は主観評価の値（図１４参照）である。また、棒グラフは、左から順に照度が１３ｌｘ、７０ｌｘ及び５００ｌｘである場合における主観評価の値をそれぞれ示す。棒グラフの高さは、被験者７名の平均値、誤差棒は標準誤差を表す。色票の色よって多少異なるが、鮮やかさ、明るさ共に平均値は全体的に０以上となっており、Ｄｅｅｐ−Ｒｅｄを含む白色光の方が含まない白色光に比べて、鮮やか及び明るい方向にシフトする傾向がみられた。また、照度に注目すると、色票の色によって多少のばらつきはみられるが、傾向としては照度が高くなるほど、鮮やかさと明るさ共に評価が高くなることが示された。
【００５８】
図１４及び図１５の結果に統計的な差異があるかどうかＷｅｌｃｈのｔ検定で解析を行うと、照度別にみた場合、１３ｌｘではＤｅｅｐ−Ｒｅｄの有無による差異が少なく、７０ｌｘ以上になると差異がみられる傾向であった。評価サンプルの色別にみると、５色共に比較的影響を受ける傾向がみられた。評価項目別にみると、規則的な傾向はみられなかった。これらの結果からＤｅｅｐ−Ｒｅｄの有無は白色光での色の見え方に影響を及ぼすと考えられる。
【００５９】
色票の色と照度を因子とした二元配置の分散分析を行うと、鮮やかさの解析結果からは、色票の色と照度ともに統計的な有意な差異はみられなかった。
【００６０】
一方、明るさの解析結果をみると、色票の色と照度ともに統計的な有意差がみられた。Ｔｕｋｅｙの多重比較法により各水準間を比較したところ、紫色とそのほかの色、および、黄色と緑との間に有意差がみられた。また、１３ｌｘとそのほかの照度条件との間に有意差がみられた。解析結果から、色票の色や照度はマクベスチャートの鮮やかさに影響を与えないが、マクベスチャートの明るさに影響を与えるといえる。特に紫や黄色を明るく見せる傾向や７０ｌｘ以上の場合に色票を明るく見せる傾向があると考えられる。この傾向は、Ｄｅｅｐ−Ｒｅｄを含んでいない白色光を基準としたときのＤｅｅｐ−Ｒｅｄを含む白色光下での同照度条件間の比較から得られた知見であるので、Ｄｅｅｐ−Ｒｅｄを含む白色光はマクベスチャートの特定の色の明るさに影響を与えると推測できる。
【００６１】
（色票（ちりめん布地））
図１６は、鮮やかさの主観評価の結果を示す。また、図１７は、明るさの主観評価の結果を示す。横軸、縦軸、棒グラフの見方は前節と同様である。マクベスチャートよりは全体的に若干低い評価の方向にシフトおり、ばらつきもややみられるが、鮮やかさ、明るさ共に大多数の条件で平均値は０以上となり、照度が高くなるほど、鮮やかさと明るさ共に評価が高くなる傾向がみられた。
【００６２】
図１６及び図１７の結果に統計的な差異があるかどうかＷｅｌｃｈのｔ検定で解析を行うと、照度別にみると、規則的な傾向はみられなかった。評価サンプルの色別にみると、紫、黄色、赤、青は影響を受けるが、緑は受けない傾向がみられた。評価項目別にみると、赤の鮮やかさと明るさに異なる傾向がみられた（赤の鮮やかさは影響を受けるが、赤の明るさは影響を受けない）。これらの結果からＤｅｅｐ−Ｒｅｄの有無は白色光での色の見え方に影響を及ぼすと考えられる。
【００６３】
色票の色と照度を因子とした二元配置の分散分析を行うと、鮮やかさの解析結果からは照度には有意差はみられなかったが、色票の色にはみられた。Ｔｕｋｅｙの多重比較法により各水準間を比較したところ、紫色と緑、および、赤と緑との間に有意差がみられた。一方、明るさの解析結果をみると、色票の色と照度ともに有意差がみられた。上記同様に多重比較を行ったところ、紫色とそのほかの色に有意差がみられ（黄色のみ有意傾向）、黄色と緑、黄色と青との間に有意差がみられた。また、照度条件では１３ｌｘと５００ｌｘとの間に有意な差異がみられた。解析結果から、色票の色はちりめん布地の鮮やかさに影響を与え、色票の色や照度はちりめん布地の明るさに影響を与えるといえる。特に紫や赤を鮮やかに見せる傾向、紫や黄色を明るく見せる傾向、５００ｌｘでは色票を明るく見せる傾向があると考えられる。Ｄｅｅｐ−Ｒｅｄを含む白色光は、ちりめん布地の特定の色の鮮やかさや明るさに影響を与えると推測できる。
【００６４】
（肌色）
図１８は、肌色の主観評価の結果を示す。横軸は評価の種類、縦軸は主観評価の値（図１３参照）である。また、棒グラフは、左から順に照度が１３ｌｘ、７０ｌｘ及び５００ｌｘである場合における主観評価の値をそれぞれ示す。棒グラフの高さは被験者７名の平均値、誤差棒は標準誤差を表す。照度条件によらず、好ましさ、健康さ共に平均値は全体的に０以上となっており、Ｄｅｅｐ−Ｒｅｄを含む白色光の方が含まない白色光に比べて、好印象にシフトする傾向がみられた。特に照度が高くなるほど評価が高くなることが示された。
【００６５】
図１８の結果に統計的な差異があるかどうかの解析をＷｅｌｃｈのｔ検定で行うと、１３ｌｘではＤｅｅｐ−Ｒｅｄの有無による差異が少なく、７０ｌｘ以上になると差異がみられる傾向であったが、評価項目別にみると、規則的な傾向は見られなかった。これらの結果からＤｅｅｐ−Ｒｅｄの有無は、所定の照度以上での肌色の見え方に影響を及ぼすと考えられる。
【００６６】
（ワイン、ウィスキー、青磁）
図１９は、被験者７名からヒアリングをした主な結果を示す。これらは自由回答での意見であるが、少なくともＤｅｅｐ−Ｒｅｄを含んだ白色光が含んでいない白色光とは見え方が異なるといえる。特にＤｅｅｐ−Ｒｅｄを含んだ白色光は「ワイン」や「ウィスキー」については透明感や赤みに影響を与え、「青磁」については白さに影響を与える可能性がある。
【００６７】
（評価サンプルの測色値からの考察）
Ｄｅｅｐ−Ｒｅｄを含む白色光（テスト室の照明）と含まない白色光（基準室の照明）を比較すると、色の見え方が異なることが実験からわかった。この主観評価の結果と測色値の違いとの整合性について、評価サンプルの色差から考察した。
【００６８】
図２０は、評価サンプルの色差ΔＥを示す。ΔＥは、図１２に示す基準とテストのＣＩＥ１９７６Ｌ＊ａ＊ｂ＊の値とから求めた。図２０をみると、色の差異が主観的に識別できる閾値ΔＥ＝２．２よりも大きい値はマクベスチャートの黄色と紫、ちりめん布地の青という結果となり、そのほかの評価サンプルは全てΔＥ＜２．２となった。このΔＥの結果から主観評価の結果を予測すると、マクベスチャートの黄色と紫、ちりめん布地の青でしか差異しか生じないと考えられるが、実際は上で述べたように、ちりめん布地の緑以外は全てＤｅｅｐ−Ｒｅｄの有無による色の見え方には差異が生じる結果となった。このことからＤｅｅｐ−Ｒｅｄを含む白色光と含まない白色光の色の見え方の違いは単純にＬ＊ａ＊ｂ＊の明度や色度からだけでは予測できないと考えられる。
【００６９】
（演色に関する評価指標からの考察）
実験に使用した２種類のＬＥＤ照明装置は相関色温度とＲａ、Ｒ９、Ｇａを主観的な色の見え方に影響がないようにほぼ同等の値にしたが、その他の演色に関する数値は制御していなかった。図２１は、Ｄｅｅｐ−Ｒｅｄを含まない白色光（基準室の照明）とＤｅｅｐ−Ｒｅｄを含む白色光（テスト室の照明）との演色に関する数値を示す。数値は、実験ＢＯＸの部屋内中央の位置で（５００ｌｘ時。２時間エージング後）、分光放射照度計を使用して測定した値である。図２１を見ると、実験で注意した指標以外も比較的差が小さくなっているが、特殊演色評価用試験色Ｒ１２（青色の試験色）とＤｕｖは大きくずれていることがわかる。Ｒ１２の影響やＤｕｖの影響８）は図１２又は図２０に示した測色値にも表れる可能性が高いため、純粋なＤｅｅｐ−Ｒｅｄを含む白色光の効果を取り出すには、Ｒ１２やＤｕｖも同等にした条件間での比較をする必要がある。
【００７０】
次に、Ｄｕｖ及びＲ１２の値を揃えて、見え方に差が生じるか実験した結果について説明する。  ここでは、照明条件及び結果以外は、前述の実験と同様である。
【００７１】
（照明条件）
図２２及び図２３は、それぞれ基準室及びテスト室に設置したＬＥＤ照明装置の分光分布を示す。評価指標である相関色温度、平均演色評価数Ｒａ、特殊演色評価数Ｒ９、色域面積比Ｇａ、特殊演色評価数Ｒ１２、Ｄｕｖをほぼ同等の値とした照明条件を用意した。なお、図２４に基準室およびテスト室の照明条件での色度座標を示す。両者の色度座標は一致しないものの、MacAdam１step内に収まる違いとなっている。
【００７２】
（結果）
上記と同様に実験を行い、主観評価の結果を示す。
【００７３】
（色票（マクベスチャート（色紙）））
図２５は、鮮やかさの主観評価の結果を示す。また、図２６は、明るさの主観評価の結果を示す。横軸は色票の色、縦軸は主観評価の値である。また、棒グラフは、左から順に照度が１３ｌｘ、７０ｌｘ及び５００ｌｘである場合における主観評価の値をそれぞれ示す。
【００７４】
（色票（ちりめん布地））
図２７は、鮮やかさの主観評価の結果を示す。また、図２８は、明るさの主観評価の結果を示す。横軸、縦軸、棒グラフの見方は前節と同様である。
【００７５】
（肌色）
図２９は、好ましさ主観評価の結果を示す。また、図３０は、健康さの主観評価の結果を示す。横軸、縦軸、棒グラフの見方は前節と同様である。
（ワイン、ウィスキー、青磁）
図３１は、被験者７名からヒアリングをした主な結果を示す。
【００７６】
（結果の分析）
図３２は、実験結果の分析を示す。図３２では、結果に有意差が存在する項目に「＋」、「−」の記号を付している。「＋」は結果にプラス方向に（つまり、ポジティブな方向）有意差が存在し、「−」は結果にマイナス方向（つまり、ネガティブな方向）に有意差が存在することを示している。
【００７７】
色差ΔＥが２．２以下であればあまり色の差異が識別されにくいが、図３２が示すように、色差ΔＥが２．２以下であっても変化が感じ取られている。  
また、青緑は規則的な変化はせずに、赤黄紫と手肌はポジティブに変化している。
【００７８】
以上の結果から、評価指標である相関色温度Ｔｃ、平均演色評価数Ｒａ、特殊演色評価数Ｒ９、色域面積比Ｇａ、特殊演色評価用試験色Ｒ１２、Ｄｕｖをほぼ同等の値とした照明条件においても、Deep-Redの効果が確認できる。よって、相関色温度、Ｒａ、Ｒ９、Ｇａ、Ｒ１２、Ｄｕｖ、に加えて特殊演色評価数Ｒｉ、Ｌ＊ａ＊ｂ＊色空間色度図には表れないＤｅｅｐ−Ｒｅｄの効果が示唆されていると言える。
【００７９】
以上をまとめると、相関色温度やＲａ、Ｒ９、Ｇａがほぼ同等のＤｅｅｐ−Ｒｅｄを含む白色光（青励起ＬＥＤ＋ピーク波長６９０ｎｍのＬＥＤ）と含まない白色光（紫励起ＬＥＤ）で評価サンプルを照らしたときの色の見え方の比較を行った結果は次のとおり。Ｄｅｅｐ−Ｒｅｄを含む白色光はＤｅｅｐ−Ｒｅｄを含まない白色光に比べ、肌色を好ましく、健康的に見せる。また、赤の色票を鮮やかに見せる、紫や黄色の色票を明るく見せる傾向である。Ｄｅｅｐ−Ｒｅｄを含む白色光による色の見え方は、照度が高い方がより影響が強い。Ｄｅｅｐ−Ｒｅｄを含む白色光は、ワインやウィスキーの色や透明度に影響を与える可能性が有る。ピーク波長６９０ｎｍの単色光を白色光に付加すると、白色照明下での色の見え方に影響を与えるが、ピーク波長７４０ｎｍや７８０ｎｍの単色光の付加は白色照明下での色の見え方に与える影響が非常に小さい。
【００８０】
よって、相関色温度、Ｒａ、Ｒ９、Ｇａが同等でもＤｅｅｐ−Ｒｅｄを含まれる白色光は、肌色、赤、紫、黄色の色の見え方に影響を与えることが示された。
【００８１】
相関色温度やＲａ、Ｒ９、Ｇａ、Ｒ１２、Ｄｕｖがほぼ同等のＤｅｅｐ−Ｒｅｄを含む白色光（青励起ＬＥＤ＋ピーク波長６９０  ｎｍのＬＥＤ）と含まない白色光（紫励起ＬＥＤ）で評価サンプルを照らしたときの色の見え方の比較を行った結果は次のとおりである。Ｄｅｅｐ−Ｒｅｄを含む白色光による色の見え方は、照度が高い方がより影響が強い。Ｄｅｅｐ−Ｒｅｄを含む白色光は、赤色を鮮やかに、紫色を明るく見せる。Ｄｅｅｐ−Ｒｅｄを含む白色光は、肌の色を好ましく健康的に見せる。Ｄｅｅｐ−Ｒｅｄを含む白色光は、透過性の高い物体にもポジティブな効果を生じさせる。
【００８２】
よって、相関色温度、Ｒａ、Ｒ９、Ｇａ、Ｒ１２、Ｄｕｖが同等でもＤｅｅｐ−Ｒｅｄを含まれる白色光は、肌色、赤系統などの色の見え方に影響を与えることが示された。
【００８３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８４】
１、１０１…照明装置、１１、１１１…光源部、１２、１１２…点灯制御部、１１Ａ…第１光源、１１Ｂ…第２光源、１１１Ａ…第１光源（第１のＬＥＤ）、１１１Ｂ…第２光源（第２のＬＥＤ）、１１１Ｃ…第３光源（第３のＬＥＤ）、１１１Ｄ…第４光源（第４のＬＥＤ）。
【図１】
2020043071.tif 000003
【図２】
2020043071.tif 000004
【図３】
2020043071.tif 000005
【図４】
2020043071.tif 000006
【図５】
2020043071.tif 000007
【図６】
2020043071.tif 000008
【図７】
2020043071.tif 000009
【図８】
2020043071.tif 000010
【図９】
2020043071.tif 000011
【図１０】
2020043071.tif 000012
【図１１】
2020043071.tif 000013
【図１２】
2020043071.tif 000014
【図１３】
2020043071.tif 000015
【図１４】
2020043071.tif 000016
【図１５】
2020043071.tif 000017
【図１６】
2020043071.tif 000018
【図１７】
2020043071.tif 000019
【図１８】
2020043071.tif 000020
【図１９】
2020043071.tif 000021
【図２０】
2020043071.tif 000022
【図２１】
2020043071.tif 000023
【図２２】
2020043071.tif 000024
【図２３】
2020043071.tif 000025
【図２４】
2020043071.tif 000026
【図２５】
2020043071.tif 000027
【図２６】
2020043071.tif 000028
【図２７】
2020043071.tif 000029
【図２８】
2020043071.tif 000030
【図２９】
2020043071.tif 000031
【図３０】
2020043071.tif 000032
【図３１】
2020043071.tif 000033
【図３２】
2020043071.tif 000034